【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
少なくともメタンおよび二酸化炭素を含有するガス流を、前記メタンの大半部分を含有する揮発性残留ガス画分と前記二酸化炭素の大半部分を含有する比較的低い揮発性画分とに分離するための方法であって、
（１）前記ガス流を冷却して冷却流を生じさせ；
（２）前記冷却流を中間圧まで膨張し、それによって、それをさらに冷却し；
（３）前記膨張させられた冷却流は、処理組立部に収容される物質移動手段へ最上部供給物として供給され、前記物質移動手段は下方領域および上方領域を有し；
（４）蒸留液流は前記物質移動手段の下方領域から回収され、前記処理組立部に収容される第１の加熱かつ物質移動手段において加熱され、それによって、同時に前記蒸留液流より揮発性の成分を剥ぎ取ると共に、段階（１）の冷却の少なくとも一部を供給し、次いで前記処理組立部から前記加熱されかつ剥ぎ取った蒸留液体を前記比較的低い揮発性画分として排出し；
（５）第１蒸留蒸気流は、前記物質移動手段の上方領域から回収され、前記膨張させられた冷却流のいずれかの蒸気部分と混ぜ合わされて第２蒸留蒸気流を形成し；
（６）前記第２蒸留蒸気流は前記処理組立部に収容された第２の加熱かつ物質移動手段において冷却され、それによって前記第２蒸留蒸気流からの低い揮発性成分を凝縮して、凝縮流および第３蒸留蒸気流を形成し；
（７）前記凝縮流の少なくとも一部は、前記物質移動手段へ他の最上部供給物として供給され；
（８）前記比較的低い揮発性画分は、少なくとも第１および第２の流れに分割され；
（９）前記第２の流れは、冷却され、次いで低圧まで膨張し、それによってさらに冷却し；
（１０）前記膨張させられ冷却した第２の流れは加熱され、それによって段階（１）および（６）の冷却の少なくとも一部を供給し；
（１１）前記第３蒸留蒸気流は、前記処理組立部に収容された一つ以上の熱交換手段において加熱され、このことにより段階（１）および（９）の冷却の少なくとも一部を供給し、その後に、前記揮発性残留ガス画分として、前記処理組立部から前記第３加熱蒸留蒸気流を排出し；
そして、
（１２）前記物質移動手段に対する前記供給流の量および温度は、前記物質移動手段の前記上方領域の温度をそれによって前記二酸化炭素の大半部分が前記比較的低い揮発性画分において回復される温度に維持するのに効果的である、前記方法。
【請求項２】
（１）前記ガス流は、十分に冷却されて部分的に凝縮され；
（２）前記部分的に凝縮されたガス流は、分離手段に供給されて、そこで分離され、蒸気流および少なくとも一つの液体流を提供し；
（３）前記少なくとも一つの液体流は、中間圧まで膨張し；
（４）前記膨張液流は、前記物質移動手段へ前記最上部供給物として供給され、；
（５）前記蒸気流は、前記中間圧まで膨張させられ、前記物質移動手段上の前記処理組立部に供給物として供給され；
（６）前記第１蒸留蒸気流は、前記物質移動手段の上方領域から回収され、前記膨張蒸気流の蒸気部分と混ぜ合わされて前記第２蒸留蒸気流を形成する、
前記方法。
【請求項３】
前記分離手段は、前記処理組立部に収容される、請求項２に記載の方法。
【請求項４】
請求項２または３に記載の方法であって、
（１）追加の物質移動手段は、前記第２の加熱かつ物質移動手段の下の前記処理組立部に収容され、前記追加の物質移動手段は下方領域と上方領域とを有し；
（２）前記膨張させられた蒸気流は、前記追加の物質移動手段へ最上部供給物として供給され；
（３）前記第１蒸留蒸気流は、それに対する下底部供給物として前記追加の物質移動手段へ向けられ；
（４）第４蒸留蒸気流は、前記追加の物質移動手段の上方領域から回収され、前記膨張蒸気流の前記蒸気部分と混ぜ合わされて前記第２蒸留蒸気流を形成し；
（５）前記凝縮流の少なくとも一部は、前記追加の物質移動手段へ他の最上部供給物として供給され；
そして、
（６）前記追加の物質移動手段に対する前記供給物流の量および温度は、前記追加の物質移動手段の前記上方領域の温度をそれによって前記二酸化炭素の大半部分が前記比較的低い揮発性画分において回復される温度に維持するのに効果的である、前記方法。
【請求項５】
請求項１、２、３または４に記載の方法であって、前記第１の加熱かつ物質移動手段は、前記蒸留液体流から前記揮発性成分の前記剥ぎ取りのための前記ガス流によって供給される加温を補充するために外部加熱媒体用の一つ以上の流路を含む、前記方法。
【請求項６】
少なくともメタンおよび二酸化炭素を含有するガス流を、前記メタンの大半部分を含有する揮発性残留ガス画分と、前記二酸化炭素の大半部分を含有する比較的低い揮発性画分とに分離するための装置であって、
（１）前記ガス流体を冷却する処理組立部に収容される第１の加熱かつ物質移動手段；
（２）前記処理組立部に収容され、前記第１の加熱かつ物質移動手段と連結して前記冷却ガス流を受け取ってさらに冷却し、それによって冷却流を形成する、第１熱交換手段；
（３）前記第１熱交換手段と連結し、前記冷却流を受け取って中間圧まで膨張させる第１膨張手段；
（４）前記処理組立部に収容され、前記第１膨張手段に連結し、前記膨張冷却流を最上部供給物として受け取る、下方領域および上方領域を有する物質移動手段；
（５）前記処理組立部に収容され、前記物質移動手段に連結し、前記物質移動手段の下方領域から蒸留液体流を受け取る液体回収手段；
（６）前記第１の加熱かつ物質移動手段は前記液体回収手段に連結して前記蒸留液流を受け取って加熱し、それによって、同時に前記蒸留液流より多い揮発性成分を剥ぎ取ると共に、段階（１）の冷却の少なく一部を供給し、次いで前記処理組立部から前記加熱されかつ剥ぎ取った蒸留液体を前記比較的低い揮発性画分として排出し；
（７）前記処理組立部に収容され、前記物質移動手段に連結して前記物質移動手段の上方領域から第１蒸留蒸気流を受け取る、蒸気回収手段；
（８）前記蒸気収集手段に連結して、前記第１蒸留蒸気流を受け取り、前記膨張した冷却流の蒸気のどれか一部と組み合わせ、それによって第２蒸留蒸気流を形成する組み合せ手段；
（９）前記処理組立部に収容され、前記組み合せ手段に連結して前記第２蒸留蒸気流を受け取って冷却し、それによって凝縮流および第３蒸留蒸気流を形成する第２の加熱かつ物質移動手段；
（１０）前記物質移動手段は、さらに前記第２の加熱かつ物質移動手段に連結し、他の最上部供給物として前記凝縮流の少なくとも一部を受け取り；
（１１）前記処理組立部に連結して前記比較的低い揮発性の画分を受け取り、それを少なくとも第１および第２の流れに分割する分割手段；
（１２）前記処理組立部に収容され、前記分割手段に連結して前記第２の流れを受け取って、それを冷却する第２熱交換手段；
（１３）前記第２熱交換手段に連結し、前記冷却された第２の流れを受け取って低圧まで膨張させる第２膨張手段；
（１４）前記第２の加熱かつ物質移動手段は、さらに前記第２膨張手段に連結し、前記膨張され冷却された第２の流れを受け取って加熱し、少なくとも段階（９）の冷却の一部を供給し；
（１５）前記第１熱交換手段は、さらに前記第２の加熱かつ物質移動手段に連結し、前記膨張された第２の流れを受け取って加熱し、少なくとも段階（２）の冷却の一部を供給し；
（１６）前記第１熱交換手段は、さらに前記第２の加熱かつ物質移動手段に連結し、前記第３蒸留蒸気流を受け取って加熱し、少なくとも段階（２）の冷却の一部を供給し；
（１７）前記第２熱交換手段は、さらに前記第１熱交換手段に連結して前記第３蒸留蒸気流を受け取って加熱し、このことにより段階（１２）の冷却の少なくとも一部を供給し、その後に、前記揮発性の残留ガス画分として、前記処理組立部から前記第３加熱蒸留蒸気流を排出し；
そして、
（１８）前記物質移動手段の前記上方領域への前記供給流の量および温度を調整し、それによって前記二酸化炭素の大半部分が前記比較的低い揮発性画分において回復される温度に、前記物質移動手段の前記上方領域の温度を維持するために適用する制御手段、を含む前記装置。
【請求項７】
請求項６に記載の装置であって、
（１）前記第１熱交換手段が、前記冷却ガス流を受け取ってさらに冷却し、それによって部分的に凝縮したガス流を形成するよう適合され、；
（２）分離手段が、前記第１熱交換手段に連結して前記部分的に凝縮したガス流を受け取り、それを蒸気流と少なくとも一つの液体流に分離し、；
（３）第１膨張手段が、前記分離手段に連結し、前記少なくとも一つの液体流を受け取って中間圧まで膨張させ、；
（４）前記物質移動手段が、前記第１膨張手段に連結し、前記膨張液体流を前記最上部供給物として受け取り、；
（５）第３膨張手段が、前記分離手段に連結し、前記蒸気流れを受け取って、前記中間圧までそれを膨張させ、前記第３膨張手段が、さらに前記処理組立部に連結されて前記膨張蒸気流を供給物として前記物質移動手段上に供給し、；
（６）前記組み合せ手段が、前記蒸気回収手段に連結し、前記第１蒸留蒸気流を受け取り、かつそれを前記膨張蒸気流の前記蒸気部分と組み合わせ、それによって前記第２蒸留蒸気流を形成する、
装置。
【請求項８】
前記分離手段は、前記処理組立部に収容される、請求項７に記載の装置。
【請求項９】
請求項７または８に記載の装置であって、
（１）追加の物質移動手段は、前記第２の加熱かつ物質移動手段の下の前記処理組立部に収容され、前記追加の物質移動手段は下方領域と上方領域とを有し；
（２）前記追加の物質移動手段は、前記第２膨張手段に連結し、前記膨張蒸気流を最上部供給物として受け取り；
（３）前記追加の物質移動手段は、さらに前記蒸気回収手段に連結して前記第１蒸留蒸気流を下底供給物として受け取り；
（４）追加の蒸気回収手段は、前記処理組立部に収容され、前記追加の物質移動手段に連結して第４蒸留蒸気流を前記追加の物質移動手段の上方領域から受け取り；
（５）前記組み合せ手段は前記追加の蒸気回収手段に連結して前記第４蒸留蒸気流を受け取り、それを前記膨張蒸気流の前記蒸気部分と組み合わせるよう適合され、それによって前記第２蒸留蒸気流を形成し；
（６）前記追加の物質移動手段は、さらに前記第２の加熱かつ物質移動手段に連結し、他の最上部供給物として前記凝縮流の少なくとも一部を受け取り；
そして、
（７）前記制御手段は、前記追加の物質移動手段の前記上方領域への前記供給流の量および温度を調整し、それによって前記二酸化炭素の大半部分が前記比較的低い揮発性画分において回復される温度に前記追加の物質移動手段の前記上方領域の温度を維持するために適合している、前記装置。
【請求項１０】
請求項６、７、８または９に記載の装置であって、前記第１の加熱かつ物質移動手段は、前記蒸留液体流から前記より多い揮発成分の前記剥ぎ取りのための前記ガス流によって供給される加温を補充するために外部加熱媒体用の一つ以上の流路を含む、前記装置。